(57)【要約】【課題】被介護者が横たわったまま粘性のある流動食を食する時、口元を汚したり溢しやすい上、咽たりする危険性があり慣れた介護者によりスプーンなど使用した手助けが必要である。又、水や湯茶、ジュース類をのむときは、ストロー付の容器を用いたり、ボトル容器に直接ストローを差し込み吸引することにより飲んでいるが咽たり誤飲の危険があった。【解決手段】吸引器カムストローは、呼吸気で吸引するのでなく、復元性のある吸引器（Ａ）の吸引ポンプ部（７）を上下顎で噛むことにより貯留部（５）が加圧され流動食（Ｄ）が口内に流れ込む、上下顎をあけたとき、貯留部（５）が復元して貯留部（５）内部が減圧されて流動食（Ｄ）が吸引管を通り貯留部（５）に流入する。噛む動作を繰り返すことにより流入弁（３）より口内に流動食が適量ずつ食することができる吸引器カムストローを提供する。【選択図】図１
2015112303.tif 000002
【特許請求の範囲】
【請求項１】
吸引器（Ａ）は、弁体部（６）と吸引ポンプ部（７）を組み合わせ、吸引管差し込み口（１）に吸引管（Ｂ）を差し込み吸引器カムストローを構成する。吸引管（Ｂ）の一方を流動食容器（Ｃ）に挿入する。吸引器（Ａ）の吸引ポンプ部（７）を口に咥え、吸引ポンプ部（７）を上下顎で噛むことにより貯留部（５）内を加圧にして、流入弁（３）が開放し逆流防止弁（２）が閉じ流動食（Ｄ）が口に入る。上下顎をあけると吸引ポンプ部（７）の復元力で貯留部（５）が膨張して、貯留部（５）内が減圧となり流入弁（３）が閉じ、逆流防止弁（２）が開放し吸引管（Ｂ）を通り流動食（Ｄ）が流動食容器（Ｃ）より貯留部（５）に入る。吸引ポンプ部（７）の噛む動作を繰り返すことにより口内に流動食（Ｄ）を適量ずつ入れ食することができる吸引器カムストローである。
【請求項２】
本考案の吸引器カムストローの吸引器（Ａ）は、弁体部（６）と吸引ポンプ部（７）を組み合わせ用いる。弁体部（６）は、衛生的な材質（シリコンゴム等）を用い、吸引管挿入口（１）と逆流防止弁（２）を備える。吸引ポンプ部（７）は、衛生的で復元性ある材質(シリコンゴム等）を用い、流入弁（３）を備え、貯留部（５）がある。吸引器（Ａ）の逆流防止弁（２）及び流入弁（３）は、カモノハシの嘴形を成し、吸引ポンプ部（７）を上下顎で噛み込んだときは、内部が加圧され逆流防止弁（２）が閉じ、流入弁（３）が開く。上下顎をあけると吸引ポンプ部（７）の復元力で貯留部（５）が膨張し貯留部（５）が減圧され流入弁（３）が閉じ逆流防止弁（２）が開くカモノハシ嘴形の弁２箇所を有する吸引器（Ａ）である。
【請求項３】
吸引器カムストローは、吸引ポンプ部（７）、弁体部（６）と吸引管（Ｂ）に分割、それぞれ使用後の洗浄、熱湯消毒が簡単であり清潔に保ち繰り返し使用できる。
【発明の詳細な説明】
【技術分野】
【０００１】
本発明は、高齢者や病床に伏す方が横たわった態勢で、流動食や飲用物を自ら食するための介護補助品に関する。
【背景技術】
【０００２】
従来は、病院や老人福祉施設、一般家庭等において、意識もしっかりしているがやむなく寝たきりになっている方が粘性のある流動食（重湯、スープ、ヨーグルトなど）を食する時、横たわった姿勢で食すると口元を汚したり溢しやすい上、咽たりする危険性があり自身で食することは困難で、慣れた介護者がスプーンなど使用した手助けが必要である。又、粘性のない水や湯茶、ジュース類は、ストロー付の容器を用いたり、ボトル容器に直接自在ストローを差し込み吸引することにより飲んでいる。
【先行技術文献】
【特許文献】
【０００３】
【特許文献１】特開2001-128829  特開2000-270994  特開200１-46210
【発明の概要】
【発明が解決しようとする課題】
【０００４】
病院や老人福祉施設、一般家庭等において、意識もしっかりしているがやむなく寝たきりになっている方は、自分自身で重湯やスープ、ヨーグルトなどの粘性のある流動食を食すことができなかった。また、寝た状態のまま粘性のない水や湯茶、ジュース類をストローで、吸引して飲むことは咽たり誤飲の危険があった。
【０００５】
病院や老人福祉施設、一般家庭等において、意識もしっかりしているがやむなく寝たきりになっている方が重湯やスープ、ヨーグルトなどの粘性のある流動食を自分自身で食することを可能にする。また、粘性のない水や湯茶、ジュース類は、咽たりしないよう適量ずつ上向きのままで飲むことができるようにする。このように、寝たきりの方の流動食を食する利便性と安全性を高める吸引器カムストローを提供する。
【課題を解決するための手段】
【０００６】
上記課題を解決するために、噛む動作により吸引力を得る吸引器カムストローを提供する。赤ん坊は、授乳するとき上向きで呼吸しながら咽ることなく乳をのむ。赤ん坊は、乳頭を呼吸気で吸引するのでなく、舌を乳頭に絡ませ噛む動作により乳を吸い出し、口に含み咽ることなく飲んでいる。同様に、本考案の吸引器カムストローは、呼吸気で吸引するのでなく弾力性、復元性のある吸引器（Ａ）の吸引ポンプ部（７）を上下顎で噛む動作を行い、噛み込んだとき貯留部（５）が加圧され貯留部（５）内の流動食（Ｄ）が流入弁（３）から口内に流れ込む、上下顎をあけたとき、吸引ポンプ部（７）が復元して貯留部（５）が膨張し内部が減圧され流動食（Ｄ）が流動食容器（Ｃ）から吸引管（Ｂ）により吸引され逆流防止弁（２）より貯留部（５）に流入する。吸引ポンプ部（７）を繰り返し噛むことにより流入弁（３）より口内に適量流出して食することができる。この吸引器カムストローは、横たわった姿勢で、自分自身が流動食を適量ずつ安全に食することを提供する。
【０００７】
本考案の吸引器カムストローは、吸引器（Ａ）と吸引管（Ｂ）で、構成される。吸引器（Ａ）は、弁体部（６）と吸引ポンプ部（７）を組み合わせ用いる。弁体部（６）は、衛生的な材質（シリコンゴム等）を用い、吸引管挿入口（１）と逆流防止弁（２）を備える。吸引ポンプ部（７）は、衛生的で復元性ある材質(シリコンゴム等）を用い、流入弁（３）を備え、貯留部（５）、ストッパー（４）がある。吸引管（Ｂ）は、自在性と、吸引圧に耐える市販ストローである。
【０００８】
吸引器カムストローは、吸引ポンプ部（７）、弁体部（６）と吸引管（Ｂ）に分割可能で、それぞれ使用後の洗浄及び熱湯消毒が簡単であり、清潔に保ち繰り返し使用できる。
【発明の効果】
【０００９】
本考案の吸引器カムストローは、病院や老人福祉施設、一般家庭等において、意識もしっかりしているがやむなく寝たきりになっている方が粘性のある流動食（重湯やスープ、ヨーグルトなど）を、横たわった自分自身で食すること、水や湯茶、ジュース類は、適量ずつ上向きのままで飲めることを提供する。寝たきりの方が介護者の手助けがなくても容易に流動食を適量ずつ食することができ、呼吸気による吸引ではなく上下顎の噛む動作により吸引するため咽ることや肺炎の原因となる誤飲防止に役立つものである。
【図面の簡単な説明】
【００１０】
【図１】吸引器（Ａ）は、弁体部（６）と吸引ポンプ部（７）を組み合わせ、吸引管差し込み口（１）に吸引管（Ｂ）を差し込み吸引器カムストローを構成する。吸引管（Ｂ）の一方を流動食容器（Ｃ）に挿入する。吸引器（Ａ）の吸引ポンプ部（７）を口に咥え、吸引ポンプ部（７）を上下顎で噛むことにより貯留部（５）内を加圧にして、流入弁（３）が開放し逆流防止弁（２）が閉じ流動食（Ｄ）が口に入る。上下顎をあけると吸引ポンプ部（７）の復元力で貯留部（５）が膨張して、貯留部（５）内が減圧となり流入弁（３）が閉じ、逆流防止弁（２）が開放し吸引管（Ｂ）を通り流動食（Ｄ）が流動食容器（Ｃ）より貯留部（５）に入る。吸引ポンプ部（７）の噛む動作を繰り返すことにより口内に流動食（Ｄ）を適量ずつ入れ食することができる。
【図２】吸引器（Ａ）の断面形状を現す。吸引ポンプ部（７）に弁体（６）を、嵌め込み吸引器（Ａ）を構成する。弁体（６）は、吸引管差し込み口（１）と逆流防止弁（２）を有する。吸引ポンプ部（７）は、流入弁（３）と貯留部（５）、ストッパー（4）を有する。吸引ポンプ部（７）と弁体（６）との嵌め合い部にリング状凹凸部（８）を有し、密着性を向上させるとともにロックする。
【発明を実施するための形態】
【００１１】
考案の実施の形態について図面を参照して説明する。図１は、吸引器（Ａ）の吸引管差し込み口（１）に吸引管（Ｂ）を差し込み吸引器カムストローを構成する。吸引管（Ｂ）の一方を流動食容器（Ｃ）に挿入する。吸引器（Ａ）の吸引ポンプ部（７）を口に咥え、吸引ポンプ部（７）を上下顎で噛むことにより貯留部（５）内を加圧にして、流入弁（３）が開放し逆流防止弁（２）が閉じ流動食（Ｄ）が口に入る。上下顎をあけると吸引ポンプ部（７）の復元力で貯留部（５）が膨張して、貯留部（５）内が減圧となり流入弁（３）が閉じ、逆流防止弁（２）が開放し吸引管（Ｂ）を通り流動食（Ｄ）が流動食容器（Ｃ）より貯留部（５）に入る。吸引ポンプ部（７）の噛む動作を繰り返すことにより口内に流動食（Ｄ）を適量ずつ入れ食することができる。吸引器（Ａ）の形態は、図２に現す断面図参照。吸引ポンプ部（７）に弁体（６）を、嵌め込み吸引器（Ａ）を構成する。弁体（６）は、吸引管差し込み口（１）と逆流防止弁（２）を有する。吸引ポンプ部（７）は、流入弁（３）と貯留部（５）、ストッパー（4）を有する。吸引ポンプ部（７）と弁体（６）との嵌め合い部にリング状凹凸部（８）を有し、密着性を向上させるとともにロックする。
【符号の説明】
【００１２】
Ａ：吸引器  Ｂ：吸引管  Ｃ：流動食容器  Ｄ：流動食  １：吸引管差し込み口  ２：逆流防止弁  ３：流入弁  ４：ストッパー  ５：貯留部   ６：弁体  ７：吸引ポンプ部  ８：リング状凹凸部                                                          
【図１】
2015112303.tif 000003
【図２】
2015112303.tif 000004